(57)【要約】【課題】  部品コスト及び設備コストの削減が図られるとともに、共通電極の電圧レベルを最適なレベルに容易に調整できる画像表示装置を提供する。【解決手段】  複数本のゲートバスＧと、複数本のソースバスSと、上記ゲートバスGからの電圧に応じてオン状態又はオフ状態に設定され、上記オン状態のときに上記ソースバスSからの電圧を画素電極２ａに供給するトランジスタＴＦＴと、共通電極２ｃと、上記共通電極２ｃに、所定の補正量ΔＶcomだけ補正された共通電極電圧Ｖcom’を供給する補正電圧供給手段とを備えた画像表示装置であって、上記補正電圧供給手段が、上記トランジスタＴＦＴをオン状態にするための第１の可変電圧と、上記トランジスタをオフ状態にするための第２の可変電圧とを生成し、上記複数本のゲートバスＧのうちの半数のゲートバスＧに第１の可変電圧が供給され且つ残りの半数のゲートバスＧに上記第２の可変電圧が供給される第１の供給モードと、上記複数のゲートバスＧの全てに上記第１の可変電圧が供給される第２の供給モードと、上記複数のゲートバスＧの全てに第２の可変電圧が供給される第３の供給モードとの各々を実行することにより、補正された共通電極電圧Ｖcom’を算出する。
2005538401.tif 000002
【特許請求の範囲】
【請求項１】
複数本のゲートバスと、複数本のソースバスと、前記ソースバスからの電圧を画素電極に供給するトランジスタと、共通電極と、前記共通電極に、所定の補正量だけ補正された共通電極電圧を供給する補正電圧供給手段とを備えた画像表示装置であって、
前記補正電圧供給手段が、
前記トランジスタをオン状態にする電圧レベルが変化する第１の可変電圧と、前記トランジスタをオフ状態にする電圧レベルが変化する第２の可変電圧とを生成する可変電圧生成手段であって、前記複数本のゲートバスのうちの第１の本数のゲートバスに前記第１の可変電圧が供給され且つ前記複数のゲートバスのうちの第２の本数のゲートバスに前記第２の可変電圧が供給される第１の供給モードと、前記複数本のゲートバスのうちの第３の本数のゲートバスに前記第１の可変電圧が供給され且つ前記複数のゲートバスのうちの第４の本数のゲートバスに前記第２の可変電圧が供給される、又は前記複数のゲートバスのうちの少なくとも前記第３の本数のゲートバスに前記第１の可変電圧が供給され且つ前記複数のゲートバスには前記第２の可変電圧が供給されない第２の供給モードと、前記複数本のゲートバスのうちの第５の本数のゲートバスに前記第１の可変電圧が供給され且つ前記複数のゲートバスのうちの第６の本数のゲートバスに前記第２の可変電圧が供給される、又は前記複数のゲートバスには前記第１の可変電圧が供給されず且つ前記複数のゲートバスのうちの少なくとも前記第６の本数のゲートバスに前記第２の可変電圧が供給される第３の供給モードとを含む少なくとも３つの供給モードの各々を実行する可変電圧生成手段、及び
前記少なくとも３つの供給モードの各々が実行される度に前記共通電極の電圧を検出し、該検出した共通電極の電圧の変動量に基づいて前記所定の補正量を算出する補正電圧生成手段、
を備えたことを特徴とする画像表示装置。
【請求項２】
前記補正電圧生成手段が、
前記少なくとも３つの供給モードの各々が実行される度に、前記共通電極の電圧をアナログ電圧として検出し、該検出したアナログ電圧を第１のデジタル信号に変換するＡＤ変換手段、
前記第１のデジタル信号から前記検出されたアナログ電圧の変動量を算出し、前記算出した変動量に基づいて前記所定の補正量を算出し、前記算出した所定の補正量だけ補正された共通電極電圧を表すデジタル信号を出力する演算手段、
前記演算手段から出力されたデジタル信号をアナログ電圧に変換するＤＡ変換手段、及び
前記共通電極が前記ＡＤ変換手段に接続される第１の接続モードと、前記共通電極が前記ＤＡ変換手段に接続される第２の接続モードとのいずれかの接続モードに切り替える切替手段、
を備えたことを特徴とする請求項１に記載の画像表示装置。
【請求項３】
前記補正電圧生成手段が、前記演算手段が出力したデジタル信号が表す前記補正された共通電極電圧を記憶する記憶手段を備え、
前記ＤＡ変換手段が、前記演算手段が出力したデジタル信号をアナログ電圧に変換する代わりに、前記記憶手段に記憶された前記補正された共通電極電圧をアナログ電圧に変換することを特徴とする請求項２に記載の画像表示装置。
【請求項４】
前記補正電圧供給手段が、所定の電圧を生成し、前記所定の電圧を前記ソースバスに供給する所定電圧生成手段を有し、
前記少なくとも３つの供給モードの各々で、前記複数本のソースバスに前記所定の電圧が供給されることを特徴とする請求項１乃至３のうちのいずれか１項に記載の画像表示装置。
【請求項５】
前記所定電圧生成手段が、前記所定の電圧として、一定電圧を生成することを特徴とする請求項４に記載の画像表示装置。
【請求項６】
前記可変電圧生成手段が、
前記複数本のゲートバスに対応して設けられた複数の出力回路であって、前記トランジスタをオン状態にするための一定の電圧値を有するオン電圧と、前記トランジスタをオフ状態にするための一定の電圧値を有するオフ電圧とを選択的に出力する複数の出力回路と、
可変電圧を表す可変電圧信号を発生する信号発生回路と、
前記複数の出力回路に対応して設けられた加算器であって、対応する出力回路から前記オン電圧が出力された場合は前記オン電圧に前記可変電圧を加算することにより前記第１の可変電圧を出力し、対応する出力回路から前記オフ電圧が出力された場合は前記オフ電圧に前記可変電圧を加算することにより前記第２の可変電圧を出力する加算器と、
を有することを特徴とする請求項１乃至５のうちのいずれか１項に記載の画像表示装置。
【請求項７】
前記ＡＤ変換手段が、前記オン電圧及び前記オフ電圧をアナログ電圧として検出し、該検出したアナログ電圧を第２のデジタル信号に変換し、
前記演算手段が、前記第１のデジタル信号から前記変動量を算出するとともに、前記第２のデジタル信号から前記オン電圧及び前記オフ電圧の値を算出し、前記算出された変動量と前記算出されたオン電圧及びオフ電圧の値とに基づいて、前記補正量を算出することを特徴とする請求項６に記載の画像表示装置。
【請求項８】
前記可変電圧生成手段が、前記画像表示装置の電源がオフからオンに切り換わったときに、前記少なくとも３つの供給モードを実行することを特徴とする請求項１乃至７のうちのいずれか１項に記載の画像表示装置。
【請求項９】
前記可変電圧生成手段が、前記画像表示装置の電源がオン状態にあるときに、定期的に前記少なくとも３つの供給モードを実行することを特徴とする請求項１乃至７のうちのいずれか１項に記載の画像表示装置。
【請求項１０】
前記少なくとも３つの供給モードが前記第１、第２及び第３の供給モードのみから構成され、
前記第２の供給モードが、前記複数本のゲートバスの全てに前記第１の可変電圧が供給されるモードであり、
前記第３の供給モードが、前記複数本のゲートバスの全てに前記第２の可変電圧が供給されるモードである、ことを特徴とする請求項１乃至９のうちのいずれか１項に記載の画像表示装置。
【請求項１１】
複数本のゲートバスと、複数本のソースバスと、前記ソースバスからの電圧を画素電極に供給するトランジスタと、共通電極と、前記共通電極に、所定の補正量だけ補正された共通電極電圧を供給する補正電圧供給手段とを備えた画像表示装置であって、
前記補正電圧供給手段が、
前記トランジスタをオン状態にするための第１の可変電圧と、前記トランジスタをオフ状態にするための第２の可変電圧とを生成する可変電圧生成手段であって、前記複数本のゲートバスのうちの第１の本数のゲートバスに第１の可変電圧が供給され且つ前記複数のゲートバスのうちの第２の本数のゲートバスに前記第２の可変電圧が供給される第１の供給モードと、前記複数のゲートバスのうちの第３の本数のゲートバスに前記第１の可変電圧が供給され且つ前記複数のゲートバスのうちの第４の本数のゲートバスに前記第２の可変電圧が供給される、又は前記複数のゲートバスのうちの少なくとも前記第３の本数のゲートバスに前記第１の可変電圧が供給され且つ前記複数のゲートバスには前記第２の可変電圧が供給されない第２の供給モードと、前記複数のゲートバスのうちの第５の本数のゲートバスに前記第１の可変電圧が供給され且つ前記複数本のゲートバスのうちの第６の本数のゲートバスにに前記第２の可変電圧が供給される、又は前記複数のゲートバスには前記第１の可変電圧が供給されず且つ前記複数のゲートバスのうちの少なくとも前記第６の本数のゲートバスに前記第２の可変電圧が供給される第３の供給モードとを含む少なくとも３つの供給モードの各々を実行する可変電圧生成手段、
前記少なくとも３つの供給モードの各々が実行される度に前記共通電極の電圧を検出するための第１の検出端子、
前記第１の検出端子から検出された前記共通電極の電圧の変動量に基づいて算出される前記補正された共通電極電圧を記憶する記憶手段、及び
前記記憶手段に記憶された前記補正された共通電極電圧がデジタル信号として供給され、該供給されたデジタル信号をアナログ電圧に変換し、前記アナログ電圧を前記共通電極に出力するＤＡ変換手段、
を備えたことを特徴とする画像表示装置。
【請求項１２】
前記補正電圧生成手段が、
前記共通電極が前記第１の検出端子に接続される第１の接続モードと、前記共通電極が前記ＤＡ変換手段に接続される第２の接続モードとのいずれかの接続モードに切り替える切替手段、
を備えたことを特徴とする請求項１１に記載の画像表示装置。
【請求項１３】
前記補正電圧供給手段が、所定の電圧を生成し、前記所定の電圧を前記ソースバスに供給する所定電圧生成手段を有し、
前記少なくとも３つの供給モードの各々で、前記複数本のソースバスに前記所定の電圧が供給されることを特徴とする請求項１１又は１２に記載の画像表示装置。
【請求項１４】
前記所定電圧生成手段が、前記所定の電圧として、一定電圧を生成することを特徴とする請求項１３に記載の画像表示装置。
【請求項１５】
前記可変電圧生成手段が、
前記複数本のゲートバスに対応して設けられた複数の出力回路であって、前記トランジスタをオン状態にするための一定の電圧値を有するオン電圧と、前記トランジスタをオフ状態にするための一定の電圧値を有するオフ電圧とのいずれかの電圧を出力する複数の出力回路と、
可変電圧を表す可変電圧信号を発生する信号発生回路と、
前記複数の出力回路に対応して設けられた加算器であって、対応する出力回路から前記オン電圧が出力された場合は前記オン電圧に前記可変電圧信号が表す可変電圧を加算することにより前記第１の可変電圧を出力し、対応する出力回路から前記オフ電圧が出力された場合は前記オフ電圧に前記可変電圧信号が表す可変電圧を加算することにより前記第２の可変電圧を出力する加算器と、
を有することを特徴とする請求項１１乃至１４のうちのいずれか１項に記載の画像表示装置。
【請求項１６】
前記補正電圧供給手段が、前記オン電圧を検出するための第２の検出端子と、前記オフ電圧を検出するための第３の検出端子とを有し、
前記記憶手段が、前記第１の検出端子から検出された前記共通電極の電圧の前記変動量と、前記第２の検出端子から検出された前記オン電圧の値と、前記第３の検出端子から検出された前記オフ電圧の値とに基づいて算出される前記補正された共通電極電圧を記憶することを特徴とする請求項１５に記載の画像表示装置。
【請求項１７】
前記少なくとも３つの供給モードが前記第１、第２及び第３の供給モードのみから構成され、
前記第２の供給モードが、前記複数本のゲートバスの全てに前記第１の可変電圧が供給されるモードであり、
前記第３の供給モードが、前記複数本のゲートバスの全てに前記第２の可変電圧が供給されるモードである、ことを特徴とする請求項１１乃至１６のうちのいずれか１項に記載の画像表示装置。
【発明の詳細な説明】
【技術分野】
【０００１】
本発明は、複数本のゲートバスと、複数本のソースバスと、上記ソースバスからの電圧を画素電極に供給するトランジスタと、共通電極と、上記共通電極に、所定の補正量だけ補正された共通電極電圧を供給する補正電圧供給手段とを備えた画像表示装置に関する。
【背景技術】
【０００２】
液晶表示装置は、出荷前に共通電極の電圧レベルの調整が行われる。この調整を行うために、液晶表示装置には、例えば、共通電極に接続された可変抵抗器と、この可変抵抗器の抵抗値を調整するための調整つまみとを備えており、人又は機械がこの調整つまみを動かすことによって、フリッカレベルが最小になるように共通電極の電圧レベルを調整している。
【発明の開示】
【発明が解決しようとする課題】
【０００３】
上記のやり方では可変抵抗器が必要になるため、部品コストがかかるという問題がある。また、可変抵抗器の抵抗値を人が調整する場合、調整する人によって調整後の調整つまみの位置がばらつき、共通電極の電圧レベルを最適なレベルに調整することは難しいという問題があり、可変抵抗器の抵抗値を機械が調整する場合、表示パネルからの光を受光する受光素子と調整つまみを調整する調整機構とを備えた設備が必要であり、設備コストがかかるという問題がある。また、可変抵抗器の抵抗値を調整つまみで調整する場合、人又は機械が調整つまみに接触してその調整つまみを動かしているため、人又は機械がその調整つまみから手を離した瞬間に、調整つまみの位置が微妙にずれる恐れがある。従って、人又は機械がその調整つまみから手を離す直前は調整つまみが最適な位置にあったとしても、人又は機械がその調整つまみから手を離した直後にその調整つまみの位置が最適な位置から微妙にずれてしまう恐れがあり、共通電極の電圧レベルを最適なレベルに調整することは難しいという問題がある。
【０００４】
本発明は、上記の事情に鑑み、部品コスト及び設備コストの削減が図られるとともに、共通電極の電圧レベルを最適なレベルに容易に調整できる画像表示装置を提供することを目的とする。
【課題を解決するための手段】
【０００５】
上記目的を達成する本発明の第１の画像表示装置は、複数本のゲートバスと、複数本のソースバスと、前記ソースバスからの電圧を画素電極に供給するトランジスタと、共通電極と、前記共通電極に、所定の補正量だけ補正された共通電極電圧を供給する補正電圧供給手段とを備えた画像表示装置であって、前記補正電圧供給手段が、前記トランジスタをオン状態にする電圧レベルが変化する第１の可変電圧と、前記トランジスタをオフ状態にする電圧レベルが変化する第２の可変電圧とを生成する可変電圧生成手段であって、前記複数本のゲートバスのうちの第１の本数のゲートバスに前記第１の可変電圧が供給され且つ前記複数のゲートバスのうちの第２の本数のゲートバスに前記第２の可変電圧が供給される第１の供給モードと、前記複数本のゲートバスのうちの第３の本数のゲートバスに前記第１の可変電圧が供給され且つ前記複数のゲートバスのうちの第４の本数のゲートバスに前記第２の可変電圧が供給される、又は前記複数のゲートバスのうちの少なくとも前記第３の本数のゲートバスに前記第１の可変電圧が供給され且つ前記複数のゲートバスには前記第２の可変電圧が供給されない第２の供給モードと、前記複数本のゲートバスのうちの第５の本数のゲートバスに前記第１の可変電圧が供給され且つ前記複数のゲートバスのうちの第６の本数のゲートバスに前記第２の可変電圧が供給される、又は前記複数のゲートバスには前記第１の可変電圧が供給されず且つ前記複数のゲートバスのうちの少なくとも前記第６の本数のゲートバスに前記第２の可変電圧が供給される第３の供給モードとを含む少なくとも３つの供給モードの各々を実行する可変電圧生成手段、及び前記少なくとも３つの供給モードの各々が実行される度に前記共通電極の電圧を検出し、該検出した共通電極の電圧の変動量に基づいて前記所定の補正量を算出する補正電圧生成手段、を備えたことを特徴とする。
【０００６】
本発明の第１の画像表示装置は、可変電圧生成手段及び補正電圧生成手段を備えている。可変電圧生成手段は、少なくとも３つの供給モードを実行する。補正電圧生成手段は、上記少なくとも３つの供給モードの各々が実行される度に共通電極の電圧を検出し、この検出した電圧の変動量に基づいて補正量を算出し、この補正量だけ補正された共通電極電圧を共通電極に供給している。このような可変電圧生成手段及び補正電圧生成手段は簡単な回路構成で実現することができる。また、本発明の第１の画像表示装置では、上記の可変電圧生成手段及び補正電圧生成手段によって共通電極電圧を補正するため、パネルからの光を受光する受光素子と調整つまみを調整する調整機構とを備えた設備は不要であり、高価な設備コストをかけずに共通電極電圧の補正を行うことができる。
【０００７】
また、本発明の第１の画像表示装置では、補正電圧供給手段は、上記のようにして算出した補正量で補正前の共通電極電圧を補正している。従って、共通電極電圧を補正するための可変抵抗器や、この可変抵抗器の抵抗値を変えるための調整つまみは不要であり、部品コストの削減が図られる。また、調整つまみが不要であるため、調整つまみから手を離した直後に調整位置が微妙にずれることによって共通電極の電圧レベルが最適レベルからずれるという恐れが無く、補正の精度をさらに向上させることができる。
【０００８】
ここで、本発明の第１の画像表示装置は、上記補正電圧生成手段が、上記少なくとも３つの供給モードの各々が実行される度に、上記共通電極の電圧をアナログ電圧として検出し、該検出したアナログ電圧を第１のデジタル信号に変換するＡＤ変換手段、上記第１のデジタル信号から上記検出されたアナログ電圧の変動量を算出し、上記算出した変動量に基づいて上記所定の補正量を算出し、上記算出した所定の補正量だけ補正された共通電極電圧を表すデジタル信号を出力する演算手段、上記演算手段から出力されたデジタル信号をアナログ電圧に変換するＤＡ変換手段、及び上記共通電極が上記ＡＤ変換手段に接続される第１の接続モードと、上記共通電極が上記ＤＡ変換手段に接続される第２の接続モードとのいずれかの接続モードに切り替える切替手段、を備えたことが好ましい。
【０００９】
補正電圧生成手段が上記の手段を備えることによって、補正量を算出し、この補正量で補正された共通電極電圧を共通電極に供給することができる。
【００１０】
また、本発明の第１の画像表示装置は、上記補正電圧生成手段が、上記演算手段が出力したデジタル信号が表す上記補正された共通電極電圧を記憶する記憶手段を備え、上記ＤＡ変換手段が、上記演算手段が出力したデジタル信号をアナログ電圧に変換する代わりに、上記記憶手段に記憶された上記補正された共通電極電圧をアナログ電圧に変換してもよい。
【００１１】
このような記憶手段を備えても、補正された共通電極電圧を共通電極に供給することができる。
【００１２】
ここで、本発明の第１の画像表示装置は、上記補正電圧供給手段が、所定の電圧を生成し、上記所定の電圧を上記ソースバスに供給する所定電圧生成手段を有し、上記少なくとも３つの供給モードの各々で、上記複数本のソースバスに上記所定の電圧が供給してもよく、
この場合、上記所定の電圧として一定電圧を生成することが好ましい。
【００１３】
ソースバスに供給される電圧を一定にしておくことによって、補正量の算出式を簡単な式で表すことができる。
【００１４】
ここで、本発明の第１の画像表示装置は、上記可変電圧生成手段が、上記複数本のゲートバスに対応して設けられた複数の出力回路であって、上記トランジスタをオン状態にするための一定の電圧値を有するオン電圧と、上記トランジスタをオフ状態にするための一定の電圧値を有するオフ電圧とを選択的に出力する複数の出力回路と、可変電圧を表す可変電圧信号を発生する信号発生回路と、上記複数の出力回路に対応して設けられた加算器であって、対応する出力回路から上記オン電圧が出力された場合は上記オン電圧に上記可変電圧を加算することにより上記第１の可変電圧を出力し、対応する出力回路から上記オフ電圧が出力された場合は上記オフ電圧に上記可変電圧を加算することにより上記第２の可変電圧を出力する加算器と、を有することが好ましい。
【００１５】
出力回路から出力されるオン電圧又はオフ電圧に、可変電圧信号が表す電圧を加算器で加算することによって、第１及び第２の可変電圧を容易に生成することができる。
【００１６】
ここで、本発明の第１の画像表示装置は、上記ＡＤ変換手段が、上記オン電圧及び上記オフ電圧をアナログ電圧として検出し、該検出したアナログ電圧を第２のデジタル信号に変換し、上記演算手段が、上記第１のデジタル信号から上記変動量を算出するとともに、上記第２のデジタル信号から上記オン電圧及び上記オフ電圧の値を算出し、上記算出された変動量と上記算出されたオン電圧及びオフ電圧の値とに基づいて、上記補正量を算出することが好ましい。
【００１７】
ＡＤ変換手段にオン電圧及びオフ電圧を供給することによって、補正量を算出するために必要な情報であるオン電圧とオフ電圧との差を正確に求めることができ、補正された共通電極電圧の値を高い精度で算出することができる。
【００１８】
ここで、本発明の第１の画像表示装置は、上記可変電圧生成手段が、上記画像表示装置の電源がオフからオンに切り換わったときに、上記少なくとも３つの供給モードを実行してもよく、上記画像表示装置の電源がオン状態にあるときに、定期的に上記少なくとも３つの供給モードを実行してもよい。
【００１９】
少なくとも３つの供給モードは、例えば上記のようなタイミングで実行することができる。
【００２０】
ここで、本発明の第１の画像表示装置は、上記少なくとも３つの供給モードが上記第１、第２及び第３の供給モードのみから構成され、上記第２の供給モードが、上記複数本のゲートバスの全てに上記第１の可変電圧が供給されるモードであり、上記第３の供給モードが、上記複数本のゲートバスの全てに上記第２の可変電圧が供給されるモードであることが好ましい。
【００２１】
第２及び第３の供給モードを上記のようなモードにすることによって、補正量の算出式を簡単な式で表すことができる。
【００２２】
また、本発明の第２の画像表示装置は、複数本のゲートバスと、複数本のソースバスと、上記ゲートバスからの電圧に応じてオン状態又はオフ状態に設定され、上記オン状態のときに上記ソースバスからの電圧を画素電極に供給するトランジスタと、共通電極と、上記共通電極に、所定の補正量だけ補正された共通電極電圧を供給する補正電圧供給手段とを備えた画像表示装置であって、上記補正電圧供給手段が、上記トランジスタをオン状態にするための第１の可変電圧と、上記トランジスタをオフ状態にするための第２の可変電圧とを生成し、上記複数本のゲートバスのうちの所定の本数のゲートバスに第１の可変電圧が供給され且つ残りのゲートバスに上記第２の可変電圧が供給される第１の供給モードと、上記複数のゲートバスのうちの上記所定の本数よりも多い本数のゲートバスに上記第１の可変電圧が供給され且つ残りのゲートバスに上記第２の可変電圧が供給される第２の供給モードと、上記複数のゲートバスのうちの上記所定の本数よりも少ない本数のゲートバスに上記第１の可変電圧が供給され且つ残りのゲートバスに上記第２の可変電圧が供給される第３の供給モードとを含む少なくとも３つの供給モードの各々を実行する可変電圧生成手段と、上記少なくとも３つの供給モードの各々が実行される度に上記複数本のゲートバスのうち上記第１の可変電圧が供給される第１のゲートバスの本数と上記第２の可変電圧が供給される第２のゲートバスの本数とに対応した変動量だけ変動する上記共通電極の電圧を検出するための第１の検出端子と、上記第１の検出端子から検出された上記共通電極の電圧の上記変動量に基づいて算出される上記補正された共通電極電圧を記憶する記憶手段と、上記記憶手段に記憶された上記補正された共通電極電圧がデジタル信号として供給され、該供給されたデジタル信号をアナログ電圧に変換し、上記アナログ電圧を上記共通電極に出力するＤＡ変換手段と、を備えたことを特徴とする。
【００２３】
本発明の第２の画像表示装置は、補正された共通電極電圧を算出するために、上記第１の画像表示装置と同様に、少なくとも３つの供給モードを実行する可変電圧生成手段を備えている。このような供給モードを実行する可変電圧生成手段は簡単な回路構成で実現することができる。また、共通電極の電圧は、第１の検出端子を通じて検出され、検出された電圧は、本発明の第２の画像表示装置とは別の補正電圧算出装置に供給される。この補正電圧算出装置は、上記の共通電極の電圧の変動量に基づいて、補正された共通電極電圧を算出し、この補正された共通電極電圧は、第２の画像表示装置が備えている記憶手段に記憶される。従って、本発明の第２の画像表示装置は、当該第２の画像表示装置のみの動作で上記補正された共通電極電圧を算出しているのではなく、当該第２の画像表示装置とは別の装置である補正電圧算出装置と協働して、補正された共通電極電圧を算出している。つまり、補正された共通電極電圧を算出するためには、当該第２の画像表示装置の他に補正電圧算出装置が必要となるが、このような補正電圧算出装置は、簡単な回路構成により実現することができる。従って、パネルからの光を受光する受光素子と調整つまみを調整する調整機構とを備えた設備は不要であり、高価な設備コストをかけずに共通電極電圧の補正を行うことができる。
【００２４】
また、本発明の第２の画像表示装置では、第１の画像表示装置と同様に、可変抵抗器や調整つまみは不要であるため、部品コストの削減が図られるとともに、補正の精度をさらに向上させることができる。
【００２５】
ここで、本発明の第２の画像表示装置は、上記補正電圧生成手段が、上記共通電極が上記第１の検出端子に接続される第１の接続モードと、上記共通電極が上記ＤＡ変換手段に接続される第２の接続モードとのいずれかの接続モードに切り替える切替手段を備えたことが好ましい。
【００２６】
ここで、本発明の第２の画像表示装置は、上記補正電圧供給手段が、所定の電圧を生成し、上記所定の電圧を上記ソースバスに供給する所定電圧生成手段を有し、上記少なくとも３つの供給モードの各々で、上記複数本のソースバスに上記所定の電圧が供給され、この場合、上記所定の電圧として一定電圧を生成することが好ましい。
【００２７】
ここで、本発明の第２の画像表示装置は、上記可変電圧生成手段が、上記複数本のゲートバスに対応して設けられた複数の出力回路であって、上記トランジスタをオン状態にするための一定の電圧値を有するオン電圧と、上記トランジスタをオフ状態にするための一定の電圧値を有するオフ電圧とのいずれかの電圧を出力する複数の出力回路と、可変電圧を表す可変電圧信号を発生する信号発生回路と、上記複数の出力回路に対応して設けられた加算器であって、対応する出力回路から上記オン電圧が出力された場合は上記オン電圧に上記可変電圧信号が表す可変電圧を加算することにより上記第１の可変電圧を出力し、対応する出力回路から上記オフ電圧が出力された場合は上記オフ電圧に上記可変電圧信号が表す可変電圧を加算することにより上記第２の可変電圧を出力する加算器と、を有することが好ましい。
【００２８】
ここで、本発明の第２の画像表示装置は、上記少なくとも３つの供給モードが上記第１、第２及び第３の供給モードのみから構成され、上記第２の供給モードが、上記複数本のゲートバスの全てに上記第１の可変電圧が供給されるモードであり、上記第３の供給モードが、上記複数本のゲートバスの全てに上記第２の可変電圧が供給されるモードであることが好ましい。
【発明を実施するための最良の形態】
【００２９】
図１は、本発明の第１実施形態の画像表示装置の一例である携帯電話１の概略ブロック図である。
【００３０】
携帯電話１は液晶パネル２、ゲートドライバ３、ソースドライバ４及び補正電圧生成回路７等を備えている。携帯電話１は、当該携帯電話１の電源をオンにするたびに共通電極電圧Ｖcomの補正量ΔＶcomを算出し、この算出した補正量ΔＶcomで共通電極電圧Ｖcomを補正することにより、補正された共通電極電圧Ｖcom’を生成している。以下、第１実施形態において、携帯電話１が、補正量ΔＶcomを算出する原理について、図２乃至図５とともに必要に応じて図１を参照しながら説明する。
【００３１】
図１の液晶パネル２には、その液晶パネル２内に設けられたマトリックス状に並ぶ多数の画素のうち、代表して１つの画素が模式的に示されている。液晶パネル２には、画素電極２ａ、ｐ番目のゲートバスＧｐ及び（ｐ+１）番目のゲートバスＧ（ｐ+１）、ｑ番目のソースバスＳｑ及び（ｑ+１）番目のソースバスＳ（ｑ+１）、Ｃsライン２ｂ、共通電極２ｃ並びにＴＦＴ（Thin Film Transistor）が示されている。図１では、Ｃsライン２ｂが共通電極２ｃに接続された状態で示されており、Ｃsライン２ｂに供給される電圧は共通電極２ｃに供給される電圧と同じである。また、画素電極２ａは液晶層（図示せず）を挟んで共通電極２ｃと対向するものであるが、図１では、説明の便宜上、共通電極２ｃを液晶パネル２の外側に示してある。
【００３２】
ゲートバスＧ、ソースバスＳ、共通電極２ｃ及び画素電極２ａの間には、種々の容量が形成される。例えば、画素電極２ａとゲートバスＧｐとの間には容量Ｃgd、画素電極２ａとソースバスＳｑとの間には容量Ｃsd、Ｃsライン２ｂとゲートバスＧｐとの間には容量Ｃgc、Ｃsライン２ｂとソースバスＳｑとの間には容量Ｃsc、画素電極２ａとＣsライン２ｂとの間には容量Ｃs、画素電極２ａと共通電極２ｃとの間には容量Ｃlcが存在する。尚、図１に示す容量以外にも、例えば、ソースバスとゲートバスとの間に発生する浮遊容量等が存在するが、図１に示した容量以外の容量は、補正量ΔＶcomを算出する上では無視することができるため、省略してある。
【００３３】
上記の容量Ｃgd、Ｃsd、Ｃgc、Ｃsc、Ｃs及びＣlcは、各画素それぞれに形成されるが、液晶パネル２内の全ての画素を１つの画素に置き換えると、その１つの画素の等価回路は、図２のように示すことができる。図２では、容量Ｃgd、Ｃsd、Ｃgc、Ｃsc、Ｃs及びＣlcの接続関係を明瞭にするため、画素電極２ａ及び共通電極２ｃは簡略化して示されている。
【００３４】
液晶パネル２に画像を表示させる通常モード時においては、ゲートバスＧは順次に走査される。このとき、各ゲートバスＧには、走査期間にのみＴＦＴをオン状態に設定するためのオン電圧Ｖonが供給され、走査期間以外の期間は、ＴＦＴをオフ状態に設定するためのオフ電圧Ｖoffが供給される。従って、各ゲートバスＧに供給される電圧が、オン電圧Ｖonからオフ電圧Ｖoffに変化した場合、当該ゲートバスＧに供給される電圧の変化Ｖd（＝Ｖon−Ｖoff）によって共通電極電圧ＶcomがΔＶcomだけ変化する。このΔＶcomは、Ｖd（＝Ｖon−Ｖoff）を用いて（１）式のように表すことができる。
【数１】
2005538401.tif 000003
【００３５】
尚、（１）式では、分母の多項式Ｃs+Ｃlc+Ｃgdの代わりにＣs+Ｃlc+Ｃgd+Ｃsdとしてもよいが、Ｃs及びＣlcに対してＣsdの値が十分に小さいため、Ｃsdの項を省略していることに注意されたい。
【００３６】
このように、共通電極電圧Ｖcomは、各ゲートバスＧに供給される電圧がオン電圧Ｖonからオフ電圧Ｖoffに変化するときに、ΔＶcomだけ変動する。このような共通電極電圧Ｖcomの電圧変動は、液晶パネル２が表示する画像を劣化させる恐れがあるため、共通電極電圧Ｖcomを上記ΔＶcomだけ補正する必要がある。（１）式を見ると、Ｖdは既知の値（＝Ｖon−Ｖoff）であるため、ΔＶcomは、Ｃgd、Ｃs及びＣlc がわかれば算出することができる値である。本願発明者は、この点に着目して、ΔＶcomを算出する方法を考え出した。以下に、ΔＶcomを算出する原理について説明する。
【００３７】
まず、図１に示すゲートバスＧの総数をｎ本とし、ソースバスＳに一定電圧を供給した状態で、
【００３８】
（ａ）ｎ本のゲートバスＧのうちのｍ（０＜ｍ＜ｎ）本のゲートバスＧに、ＴＦＴをオン状態に設定するためのオン電圧Ｖonが供給されるとともに、残りのｎ−ｍ本のゲートバスＧに、ＴＦＴをオフ状態に設定するためのオフ電圧Ｖoffが供給される第１の状態（ｍとｎとの比は、例えば1：1）
（ｂ）ｎ本のゲートバスＧの全てにオン電圧Ｖonが供給される第２の状態、及び
（ｃ）ｎ本のゲートバスＧの全てにオフ電圧Ｖoffが供給される第３の状態
のそれぞれについて順に考察する。
【００３９】
第１の状態（ａ）の場合、図２の等価回路は、図３に示す等価回路に書き換えることができる。図３において、容量Ｃs’は、図２に示す容量Ｃsと容量Ｃlcとの合成容量(=Ｃs+Ｃlc )を意味する。
【００４０】
ここで、第１の状態（ａ）にある全てのゲートバスＧの電圧をΔＶgだけ変動させてみる。このとき、ΔＶgだけ電圧が変動しても、オン電圧Ｖonが供給されたｍ本のゲートバスＧから電圧の供給を受けるＴＦＴは、オン状態に保持されたままであり、一方、オフ電圧Ｖoffが供給されたｎ−ｍ本のゲートバスＧから電圧の供給を受けるＴＦＴは、オフ状態に保持されたままである。この場合、電荷保存則から、（２）式が成り立つ。
【数２】
2005538401.tif 000004
【００４１】
ここで、ΔＶcom１は、第１の状態（ａ）において、全てのゲートバスＧの電圧をΔＶgだけ変動させたときの共通電極２ｃの電圧変動量、Ｖｘ１は、第１の状態（ａ）において、全てのゲートバスＧの電圧をΔＶgだけ変動させる前の点Ａの電圧、Ｖｘ２は、第１の状態（ａ）において、全てのゲートバスＧの電圧をΔＶgだけ変動させた後の点Ａの電圧である。
【００４２】
また、点Ａでの電荷保存則から（３）式が成り立ち、この（３）式を変形することにより、(３)’式が得られる。
【数３】
2005538401.tif 000005
【数４】
2005538401.tif 000006
【００４３】
次に、第２の状態（ｂ）について考察する。ｎ本のゲートバスＧの全てにオン電圧を供給するということは、図３において、ｍ＝ｎとすることである。ｍ＝ｎとすると、図３に示す等価回路は図４に示す等価回路に簡潔化される。
【００４４】
第２の状態（ｂ）において、全てのゲートバスＧの各々から電圧の供給を受けるＴＦＴがオン状態に保持されるようにしたままで、全てのゲートバスＧの電圧をΔＶgだけ変動させた場合、電荷保存則から、（４）式が成り立つ。
【数５】
2005538401.tif 000007
【００４５】
ここで、ΔＶcom２は、第２の状態（ｂ）において、全てのゲートバスGの電圧をΔＶgだけ変動させたときの共通電極２ｃの電圧変動量である。この（４）式は、（２）式においてｍにｎを代入するとともに、ΔＶcom１をΔＶcom２に置き換えることによって求めることができる。
【００４６】
次に、第３の状態（ｃ）について考察する。ｎ本のゲートバスＧの全てにオフ電圧Ｖoffを供給するということは、図３において、ｍ=０とすることである。ｍ＝０とすると、図３に示す等価回路は図５に示す等価回路に簡潔化される。
【００４７】
第３の状態（ｃ）において、全てのゲートバスＧの各々から電圧の供給を受けるＴＦＴがオフ状態に保持されるようにしたままで、全てのゲートバスＧの電圧をΔＶgだけ変動させた場合、電荷保存則から、（５）式が成り立つ。
【数６】
2005538401.tif 000008
【００４８】
ここで、ΔＶcom３は、第３の状態（ｃ）において、全てのゲートバスＧの電圧をΔＶgだけ変動させたときの共通電極２ｃの電圧変動量、Ｖｘ３は、第３の状態（ｃ）において、全てのゲートバスＧの電圧をΔＶgだけ変動させる前の点Ａの電圧、Ｖｘ４は、第３の状態（ｃ）において、全てのゲートバスＧの電圧をΔＶgだけ変動させた後の点Ａの電圧である。この（５）式は、（２）式においてｎにゼロを代入するとともに、ΔＶcom１をΔＶcom３に置き換えることによって求めることができる。
【００４９】
また、点Ａでの電荷保存則から（６）式が成り立ち、この（６）式を変形することにより、(６)’式が得られる。
【数７】
2005538401.tif 000009
【数８】
2005538401.tif 000010
【００５０】
上記(２)〜(６)’の式よりＣgdとＣs’との比が(７)式として得られる。
【数９】
2005538401.tif 000011
【００５１】
（７）式と（１）式とから、（８）式が得られる。
【数１０】
2005538401.tif 000012
【００５２】
従って、ΔＶcomを、Ｖd、ΔＶg、ΔＶcom１、ΔＶcom２及びΔＶcom３の関数として求めることができる。ＶdはＶon−Ｖoffであり、ΔＶgはゲートバスＧに供給される電圧の変動量であり、ΔＶcom１、ΔＶcom２及びΔＶcom３は、（ａ）、（ｂ）及び（ｃ）それぞれの状態において、全てのゲートバスＧの電圧をΔＶgだけ変動させたときの共通電極電圧Ｖcomの変動量である。ＶdはＶon−Ｖoffであるから既知の値であり、ΔＶgは任意に設定できる値であるため、これらＶd及びΔＶgは予め知ることができる値である。従って、ΔＶcom１、ΔＶcom２及びΔＶcom３を求めることができれば、（８）式から、ΔＶcomの値を算出することが可能となる。本願発明者は、この点に着目して、（ａ）、（ｂ）及び（ｃ）それぞれの状態において、全てのゲートバスＧの電圧をΔＶgだけ変動させることによって、ΔＶcom１、ΔＶcom２及びΔＶcom３を算出し、この算出したΔＶcom１、ΔＶcom２及びΔＶcom３に基づいて補正量ΔＶcomを算出している。
【００５３】
上記の例では、ΔＶcomの算出式（８）を得るために、３つの状態（ａ）、（ｂ）及び（ｃ）においてゲートバス上の電圧をΔＶｇだけ変動させることにより３つの電圧供給状態を考えた（この３つの電圧供給状態とは、オンオフ混在状態、全オン状態、及び全オフ状態を意味する。オンオフ混在状態とは、第１の状態（ａ）においてｍ本のゲートバスＧのオン電圧ＶonがΔＶgだけ変動し且つ残りのｎ−ｍ本のゲートバスＧのオフ電圧ＶoffがΔＶgだけ変動する状態を意味する。全オン状態とは、第２の状態（ｂ）においてｎ本のゲートバスＧの全てのオン電圧ＶonがΔＶgだけ変動する状態を意味する。全オフ状態とは、第３の状態（ｃ）においてｎ本のゲートバスＧの全てのオフ電圧ＶoffがΔＶgだけ変動する状態を意味する）。しかしながら、本発明では、オン電圧が供給されるゲートバスの本数ｍとオフ電圧が供給されるゲートバスの本数ｎ−ｍとの比（ｍ：ｎ−ｍ）が異なる３つ以上の電圧供給状態を考えれば、補正量ΔＶcomの算出式を、式（８）とは別の式で表すことができることに注意されたい。例えば、上記の比（ｍ：ｎ−ｍ）が、１：１、１：２、１：３及び１：４である４つの電圧供給状態を考えた場合、これら４つの電圧供給状態それぞれにおいて、共通電極２ｃの電圧の変動量をそれぞれΔＶcom１’、ΔＶcom２’、ΔＶcom３’及びΔＶcom４’とすると、補正量ΔＶcomを、これら４つの変動量ΔＶcom１’、ΔＶcom２’、ΔＶcom３’及びΔＶcom４’の関数として表すことも可能である。しかしながら、ここでは、ΔＶcomの算出式を簡単に求めることができるという理由から、ｍ及びｎ−ｍの値として、ｍ，ｎ−ｍ＞０である場合だけでなく、ｎ−ｍがゼロである場合（即ち、ｍ：ｎ−ｍ＝１：０であり、ｎ本のゲートバスの全てにオン電圧が供給された全オン状態を表す）と、ｎがゼロである場合（即ち、ｍ：ｎ−ｍ＝０：１であり、ｎ本のゲートバスの全てにオフ電圧が供給された全オン状態を表す）とを使用したことに注意されたい。以下に、上記のようにして得られたΔＶcomの式（８）中のΔＶcom１、ΔＶcom２及びΔＶcom３をどのようにして求めるのかについて説明する。
【００５４】
図６は、図１に示すゲートドライバ３の概略構成図、図７は、補正された共通電極電圧Ｖcom’を求めるときの携帯電話１のタイミングチャートである。
【００５５】
電源がＯＦＦになっている携帯電話１の電源をＯＮにすると、スイッチＳＷ１が閉じる。ここでは、スイッチＳＷ１が閉じた時刻をｔ＝０とする。携帯電話１は、スイッチＳＷ１が閉じると、液晶パネル２に画像を表示する通常モードの動作を行う前に、共通電極２ｃに供給される共通電極電圧Ｖcomを補正する補正モードを行う。この補正モードでは、最初にＶd算出モードＡが開始される。Ｖd算出モードＡが開始すると、液晶駆動用電源回路５は、ＴＦＴをオン状態にするためのオン電圧Ｖon、ＴＦＴをオフ状態にするためのオフ電圧Ｖoffをアナログ電圧として発生する。この電圧Ｖon及びＶoffはゲートドライバ３に供給されるとともに、ＡＤ変換回路９にも供給される。この補正モードでは、（８）式のΔＶcom１、ΔＶcom２及びΔＶcom３を算出する前にＶdを先に算出しており、このＶdを算出するために、ＡＤ変換回路９は、供給されたオン電圧Ｖon及びオフ電圧Ｖoffをデジタル信号に変換し、このデジタル信号を演算装置１０に供給する。演算装置１０は、供給されたデジタル信号に基づいて、補正前の共通電極電圧Ｖcomの補正量ΔＶcomを求めるために必要な情報である式（８）のＶd（＝Ｖon−Ｖoff）を算出し、この算出した値Ｖdを記憶しておく。このようにして、Ｖd算出モードＡにおいてＶdが算出される。
【００５６】
また、Ｖd算出モードＡにおいては、電源回路５からのオン電圧Ｖon及びオフ電圧Ｖoffは、ゲートドライバ３の全ての出力回路３２ａ及び３２ｂ（図６参照）に供給される。このゲートドライバ３は、各ゲートバスＧに対応する出力回路を備えているが、図６では、代表して２つの出力回路３２ａ及び３２ｂが示されている。この出力回路３２ａ（３２ｂ）は、供給された電圧Ｖon及びＶoffのうちのいずれかの電圧を、対応する加算器３３ａ（３３ｂ）に電圧Ｖ１（Ｖ２）として出力するように構成されている。Ｖd算出モードＡにおいては、出力回路３２ａ（３２ｂ）はオン電圧Ｖonを加算器３３ａ（３３ｂ）に電圧Ｖ１（Ｖ２）として出力し、この加算器３３ａ（３３ｂ）からは電圧Ｖonがそのまま対応するゲートバスＧに供給される。尚、このＶd算出モードＡにおいてはスイッチＳＷ４が開いた状態であるため、共通電極２ｃからの電圧Ｖ６はＡＤ変換回路９に供給されないことに注意されたい。
【００５７】
Ｖd算出モードＡが終了すると、次に、図７のタイミングチャートに示されているように、ΔＶcom１を算出するΔＶcom１算出モードＢに移行する。このΔＶcom１算出モードＢでは、液晶パネル２内の全てのＴＦＴをオン状態に設定する必要がある。この目的のため、時刻ｔ０において、制御回路６は、スイッチＳＷ２及びＳＷ３が閉じるとともにスイッチＳＷ４が端子８側に閉じるように、スイッチＳＷ２、ＳＷ３及びＳＷ４を制御する。スイッチＳＷ３が閉じると、ゲートドライバ３の信号発生回路３１（図６参照）は、ＴＦＴをオンするか否かを決定する信号Ｓｉｇ１及びＳｉｇ２を発生する。このΔＶcom１算出モードＢにおいては、信号Ｓｉｇ１及びＳｉｇ２は両方とも正の電圧Ｖｐを表す信号である（図７のタイミングチャート参照）。従って、各出力回路３２ａ（３２ｂ）には、正の電圧Ｖｐを表す信号Ｓｉｇ１及びＳｉｇ２が供給される。信号Ｓｉｇ１及びＳｉｇ２の表す電圧が両方とも正の電圧Ｖｐである場合、全ての出力回路３２ａ（３２ｂ）は、オン電圧Ｖon及びオフ電圧Ｖoffのうちオン電圧Ｖonを、電圧Ｖ１（Ｖ２）として、対応する加算器３３ａ（３３ｂ）に出力する（図７のタイミングチャート参照）。また、信号発生回路３１は、ΔＶcom１算出モードＢにおいて、信号Ｓｉｇ１及びＳｉｇ２の他に、振幅Ａの電圧Ｖ３を表す信号Ｓｉｇ３も発生し（図７のタイミングチャート参照）、この信号Ｓｉｇ３を全ての加算器３３ａ及び３３ｂに供給する。従って、加算器３３ａ（３３ｂ）には、出力回路３２ａ（３２ｂ）からのオン電圧Ｖonと信号発生回路３１からの信号Ｓｉｇ３とが供給される。加算器３３ａ（３３ｂ）は、オン電圧Ｖonに、信号Ｓｉｇ３が表す電圧Ｖ３を加算し、Ｖon+Ｖ３で表される電圧Ｖ４（Ｖ５）を出力する（図７のタイミングチャート参照）。この電圧Ｖ４（Ｖ５）は、ΔＶcom１算出モードＢの間、最小電圧Ｖonと最大電圧Ｖon+Ａとの間で変動する電圧である。加算器３３ａ（３３ｂ）から出力された電圧Ｖ４（Ｖ５）は対応するゲートバスＧに供給される。
【００５８】
また、ΔＶcom１算出モードＢが開始すると、先に説明したように、制御回路６はスイッチＳＷ３だけでなくＳＷ２も閉じる。スイッチＳＷ２が閉じると、ソースドライバ４の信号発生回路４１は、ＤＡＣ４２が電圧ゼロの信号を出力するようにするための信号Ｓｉｇ４を発生し、この信号Ｓｉｇ４がＤＡＣ４２に供給される。ここでは、信号Ｓｉｇ４が表す電圧はＶｐであるが（図７のタイミングチャート参照）、この信号Ｓｉｇ４が表す電圧はＶｐ以外の電圧であってもよい。ＤＡＣ４２はこの信号Ｓｉｇ４に従って電圧ゼロを発生し、この電圧ゼロを出力回路４３に供給する。出力回路４３は、供給された電圧ゼロを各ソースバスＳに出力する。尚、ここでは、ＤＡＣ４２から各ソースバスＳに電圧ゼロを供給しているが、その代わりに、ゼロ以外の一定値を有する電圧を供給してもよい。更に、各ソースバスＳに一定値の電圧を供給する代わりに、可変電圧を供給してもよいが、可変電圧を供給してΔＶcom１を算出する場合、補正量ΔＶcomの算出式が式（８）よりも複雑な式になってしまうので、ソースバスＳには一定値の電圧を供給することが好ましい。
【００５９】
上記のようにしてゲートバスＧ及びソースバスＳに電圧を供給することによって、ΔＶcom１算出モードＢにおいて、ゲートバスＧには可変電圧Ｖ４（Ｖ５）が供給され、一方、ソースバスＳには一定電圧（電圧ゼロ）が供給される。従って、共通電極２ｃからは、図４に示す等価モデルに基づいて、容量分割によって決定されるアナログ電圧Ｖ６が出力される。図７に示すように、ΔＶcom１算出モードＢにおいて、ゲートバスＧに供給される電圧Ｖ４（Ｖ５）は変動するため、この変動に応じて、共通電極２ｃから出力されるアナログ電圧Ｖ６も変動する。このΔＶcom１算出モードＢにおけるアナログ電圧Ｖ６の変動量ΔＶcom１が式（８）のΔＶcom１である。このΔＶcom１を算出するために、アナログ電圧Ｖ６は補正電圧生成回路７に供給される。補正電圧生成回路７に供給されたアナログ電圧Ｖ６は、スイッチＳＷ４を経由してＡＤ変換回路９で検出される。ＡＤ変換回路９は、検出したアナログ電圧Ｖ６をデジタル信号に変換し、このデジタル信号を演算装置１０に供給する。演算装置１０では、供給されたデジタル信号から変動量ΔＶcom１を算出することができ、例えば、アナログ電圧Ｖ６の時刻ｔ１における変動量を算出した場合はΔＶcom１＝Ｆ１となる。同様に、アナログ電圧Ｖ６の時刻ｔ２乃至ｔ７のうちのいずれかの時刻における変動量を算出した場合はΔＶcom１はＦ２乃至Ｆ７のうちのいずれかの値となる。但し、値Ｆ１乃至Ｆ７のうち、最初の値Ｆ１は、Ｖd算出モードＡにおける共通電極２ｃの電圧値の影響を受けて、ΔＶcom１の値として採用するには無視できない誤差を含んでいる可能性がある。そこで、一番最初に現れる値Ｆ１は無視する。従って、値Ｆ１を除いた残りの６つの値Ｆ２乃至Ｆ７のうちの任意の１つの変動量をΔＶcom１の値として採用することができる。しかしながら、ここでは、６つの値Ｆ２乃至Ｆ７のうちの任意の１つの値をそのままΔＶcom１の値として採用するのではなく、これらの６つの値Ｆ２乃至Ｆ７の平均値をΔＶcom１の値として採用する。このように、ΔＶcom１として値Ｆ２乃至Ｆ７の平均値を採用することにより、算出されるΔＶcom１の値の信頼性をより向上させることができる。尚、ΔＶcom１の値が十分信頼できるのであれば、例えば、６つの値Ｆ２乃至Ｆ７のうちの立下りの時刻ｔ３、ｔ５及びｔ７における値Ｆ３、Ｆ５及びＦ７のみの平均値をΔＶcom１の値として採用してもよく、又は、６つの値Ｆ２乃至Ｆ７のうちの任意の１つの値をそのままΔＶcom１の値として採用してもよい。このようにして、ΔＶcom１算出モードＢにおいて、ΔＶcom１が算出される。
【００６０】
ΔＶcom１算出モードＢが終了すると、次に、図７のタイミングチャートに示されているように、ΔＶcom２を算出するΔＶcom２算出モードＣに移行する。このΔＶcom２算出モードＢでは、液晶パネル２を、全てのＴＦＴがオフ状態になる全オフ状態に設定する必要がある。液晶パネル２を全オフ状態に設定するために、ΔＶcom１算出モードＢが終了すると（時刻ｔ８）、ゲートドライバ３の信号発生回路３１は、信号Ｓｉｇ１の電圧を電圧Ｖｐのままに維持する一方で、信号Ｓｉｇ２の電圧を電圧Ｖｐから負の電圧Ｖｎに切り換える（図７のタイミングチャート参照）。信号Ｓｉｇ１の表す電圧がＶｐであり且つ信号Ｓｉｇ２の表す電圧がＶｎである場合、全ての出力回路３２ａ（３２ｂ）は、オン電圧Ｖon及びオフ電圧Ｖoffのうちオフ電圧Ｖoffを加算器３３ａ（３３ｂ）に電圧Ｖ１（Ｖ２）として出力する（図７のタイミングチャート参照）。また、信号発生回路３１は、振幅Ａの電圧Ｖ３を表す信号Ｓｉｇ３をそのまま発生し続け、この信号Ｓｉｇ３を全ての加算器３３ａ及び３３ｂに供給し続ける。従って、加算器３３ａ（３３ｂ）には、出力回路３２ａ（３２ｂ）からのオフ電圧Ｖoffと信号発生回路３１からの信号Ｓｉｇ３とが供給される。加算器３３ａ（３３ｂ）は、オフ電圧Ｖoffに、信号Ｓｉｇ３が表す電圧Ｖ３を加算し、Ｖoff+Ｖ３で表される電圧Ｖ４（Ｖ５）を出力する（図７のタイミングチャート参照）。この電圧Ｖ４（Ｖ５）は、ΔＶcom２算出モードＣの間、最小電圧Ｖoffと最大電圧Ｖoff+Ａとの間で変動する電圧である。加算器３３ａ（３３ｂ）から出力された電圧Ｖ４（Ｖ５）は対応するゲートバスＧに供給される。
【００６１】
また、ΔＶcom２算出モードＣにおいても、ΔＶcom１算出モードＢと同様に、ソースドライバ４の信号発生回路４１は、ＤＡＣ４２が電圧ゼロを出力するようにするための信号Ｓｉｇ４を発生し、この信号Ｓｉｇ４がＤＡＣ４２に供給される。ＤＡＣ４２はこの信号Ｓｉｇ４に従って電圧ゼロを発生し、この電圧ゼロが出力回路４３を経由して各ソースバスＳに出力される。従って、ΔＶcom２算出モードＣでは、ゲートバスＧには変動する電圧Ｖ４（Ｖ５）が供給され、一方、ソースバスＳには一定電圧（電圧ゼロ）が供給される。従って、共通電極２ｃからは、図５に示す等価モデルに基づいて、容量分割によって決定されるアナログ電圧Ｖ６が出力される。図７に示すように、ΔＶcom２算出モードＣにおいて、ゲートバスＧに供給される電圧Ｖ４（Ｖ５）は変動するため、その変動に応じて、共通電極２ｃから出力されるアナログ電圧Ｖ６も変動する。このΔＶcom２算出モードＣにおけるアナログ電圧Ｖ６の変動量ΔＶcom２が式（８）のΔＶcom２である。このΔＶcom２を算出するために、アナログ電圧Ｖ６は補正電圧生成回路７に供給される。補正電圧生成回路７に供給されたアナログ電圧Ｖ６は、スイッチＳＷ４を経由してＡＤ変換回路９で検出される。ＡＤ変換回路９は、検出されたアナログ電圧Ｖ６をデジタル信号に変換し、このデジタル信号を演算装置１０に供給する。演算装置１０では、供給されたデジタル信号から変動量ΔＶcom２を算出する。ΔＶcom２算出モードＣの最初の変動量Ｆ１’は、ΔＶcom１算出モードＢの時刻ｔ８の直前における共通電極２ｃの電圧値の影響を受けて、ΔＶcom２の値として採用するには無視できない誤差を含んでいる可能性がある。そこで、一番最初に現れるＦ１’は無視し、この変動量Ｆ１’を除いた残りの６つの変動値Ｆ２’乃至Ｆ７’の平均値をΔＶcom２の値として採用する。このようにして、ΔＶcom２算出モードＣにおいて、ΔＶcom２が算出される。
【００６２】
ΔＶcom２算出モードＣが終了すると、次に、図７のタイミングチャートに示されているように、ΔＶcom３算出モードＤに移行する。このΔＶcom３算出モードＤでは、液晶パネル２が有するＴＦＴの半数のＴＦＴをオン状態に設定するとともに残りの半数のＴＦＴをオフ状態に設定する。この目的のため、ΔＶcom２算出モードＣが終了すると（時刻ｔ９）、ゲートドライバ３の信号発生回路３１は、信号Ｓｉｇ１の電圧を電圧Ｖｐから電圧Ｖｎに切り換えるとともに、信号Ｓｉｇ２の電圧を電圧Ｖｎから電圧Ｖｐに切り換える。信号Ｓｉｇ１の表す電圧がＶｎであり且つ信号Ｓｉｇ２の表す電圧がＶｐである場合、ゲートドライバ３が有する全ての出力回路のうちの半数の出力回路は、対応する加算器にオン電圧Ｖonを出力するが、残りの半数の出力回路は、対応する加算器にオフ電圧Ｖoffを出力する。ここでは、説明の便宜上、図６において、出力回路３２ａは対応する加算器３３ａにオン電圧Ｖonを出力し、出力回路３２ｂが対応する加算器３３ｂにオフ電圧Ｖoffを出力するとする。また、信号発生回路３１は、振幅Ａの電圧Ｖ３を表す信号Ｓｉｇ３をそのまま発生し続け、この信号Ｓｉｇ３を全ての加算器３３ａ及び３３ｂに出力する。従って、加算器３３ａには、出力回路３２ａからのオン電圧Ｖonと信号発生回路３１からの信号Ｓｉｇ３とが供給されるが、一方、加算器３３ｂには、出力回路３２ｂからのオフ電圧Ｖoffと信号発生回路３１からの信号Ｓｉｇ３とが供給される。従って、加算器３３ａは、最小電圧Ｖonと最大電圧Ｖon+Ａとの間で変動する電圧Ｖ４を出力するが、一方、加算器３３ｂは、最小電圧Ｖoffと最大電圧Ｖoff+Ａとの間で変動する電圧Ｖ５を出力する。加算器３３ａから出力された斯かる電圧Ｖ４は、ｎ本のゲートバスＧのうちの半数（ｎ/２本）のゲートバスＧに供給され、加算器３３ｂから出力された斯かる電圧Ｖ５は、残りの半数（ｎ/２本）のゲートバスＧに供給される。従って、ΔＶcom３算出モードＤの間、電圧Ｖ４が供給されるＴＦＴはオン状態に維持され、一方、電圧Ｖ５が供給されるＴＦＴはオフ状態に維持される。
【００６３】
また、ΔＶcom３算出モードＤにおいても、ΔＶcom１算出モードＢ及びΔＶcom２算出モードＣと同様に、ソースドライバ４の信号発生回路４１は、ＤＡＣ４２がゼロ電圧を出力するようにそのＤＡＣ４２を制御する信号Ｓｉｇ４を発生し、この信号Ｓｉｇ４がＤＡＣ４２に供給される。ＤＡＣ４２はこの信号Ｓｉｇ４に従って電圧ゼロを発生し、この電圧ゼロを各ソースバスＳに出力する。従って、ΔＶcom３算出モードＤでは、ｎ/２本のゲートバスＧには最小電圧Ｖonと最大電圧Ｖon+Ａとの間で変動する電圧Ｖ４が供給されるとともに、残りのｎ／２本のゲートバスＧには最小電圧Ｖoffと最大電圧Ｖoff+Ａとの間で変動する電圧Ｖ５が供給され、一方、ソースバスＳには一定電圧（電圧ゼロ）が供給される。従って、共通電極２ｃからは、図３に表す等価モデルに基づいて、容量分割によって決定されるアナログ電圧Ｖ６が出力される。ここでは、ｎ本のゲートバスＧのうち、ｎ/２本のゲートバスから電圧が供給されるＴＦＴをオン状態に設定し、残りのｎ/２本のゲートバスＧから電圧が供給されるＴＦＴをオフ状態に設定しているため、アナログ電圧Ｖ６は、図３において、ｍ＝ｎ/２と置くことによって決定される。図７に示すように、ΔＶcom３算出モードＤにおいて、ゲートバスＧに供給されるＶ４及びＶ５は変動するため、その変動に応じて、共通電極２ｃから出力されるアナログ電圧Ｖ６も変動する。このΔＶcom３算出モードＤにおけるアナログ電圧Ｖ６の変動量ΔＶcom３が式（８）のΔＶcom３である。このΔＶcom３を算出するために、アナログ電圧Ｖ６は補正電圧生成回路７に供給される。補正電圧生成回路７に供給されたアナログ電圧Ｖ６は、スイッチＳＷ４を経由してＡＤ変換回路９で検出される。ＡＤ変換回路９は、検出されたアナログ電圧Ｖ６をデジタル信号に変換し、このデジタル信号を演算装置１０に供給する。演算装置１０では、供給されたデジタル信号から変動量ΔＶcom３を算出する。ΔＶcom３算出モードＤの最初の変動量Ｆ１”は、ΔＶcom２算出モードＣの時刻ｔ９直前における共通電極２ｃの電圧値の影響を受けて、ΔＶcom３の値として採用するには無視できない誤差を含んでいる可能性がある。そこで、一番最初に現れるＦ１”は無視し、この変動量Ｆ１”を除いた残りの６つの変動値Ｆ２”乃至Ｆ７”の平均値をΔＶcom３の値として採用する。このようにして、ΔＶcom３算出モードＤにおいて、ΔＶcom３が算出される。
【００６４】
上記の手順で、Ｖd算出モードＡ、ΔＶcom１算出モードＢ、ΔＶcom２算出モードＣ及びΔＶcom３算出モードＤを経ることによって、補正量ΔＶcomを算出するために必要な５つの値Ｖd、ΔＶg、ΔＶcom１、ΔＶcom２及びΔＶcom３のうち、４つの値Ｖd、ΔＶcom１、ΔＶcom２及びΔＶcom３が算出される。残りの値ΔＶgはゲートバスＧに供給される電圧Ｖ４（Ｖ５）の変動量（即ち、信号Ｓｉｇ３の振幅Ａ）であるため、例えば電圧Ｖ４を演算装置１０に供給することによってΔＶgを知ることができる。但し、ここでは、ΔＶgの値を予め演算装置１０にデフォルト値として記憶させてある。従って、これら４つの値Ｖd、ΔＶcom１、ΔＶcom２及びΔＶcom３を式（８）に代入することにより、補正量ΔＶcomを算出することができる。尚、ΔＶgは予め演算装置１０にデフォルト値として記憶させてあるが、この代わりに、電圧Ｖ４又は信号Ｓｉｇ３を演算装置１０に供給することによって算出してもよい。また、Ｖdは、電源回路５からのオン電圧Ｖon及びオフ電圧Ｖoffから算出しているが、Ｖdを予め演算装置１０にデフォルト値として記憶させておいてもよい。
【００６５】
ΔＶcomを算出した後、演算装置１０は、算出した補正量ΔＶcomで共通電極電圧Ｖcomを補正することにより補正された共通電極電圧Ｖcom’を算出し、この補正された共通電極電圧Ｖcom’を表すデジタル信号Ｓｉｇ５をＤＡ変換回路１１に供給する。ＤＡ変換回路１１は、供給されたデジタル信号Ｓｉｇ５を、補正された共通電極電圧Ｖcom’を表すアナログ電圧に変換する。
【００６６】
また、演算装置１０は、補正された共通電極電圧Ｖcom’を算出した後、補正された共通電極電圧Ｖcom’を算出した旨を表す信号Ｓｉｇ６を制御回路６に出力する。制御回路６は、信号Ｓｉｇ６を受け取った後、スイッチＳＷ２及びＳＷ３が開くように制御する。スイッチＳＷ２及びＳＷ３が開くと、ソースドライバ４は信号Ｓｉｇ４の発生を停止するとともに、ゲートドライバ３は信号Ｓｉｇ１乃至Ｓｉｇ３の発生を停止し、補正モードが終了する。また、制御回路６は、信号Ｓｉｇ６を受け取ると、スイッチＳＷ４を端子８側から端子１２側に閉じるようにも制御する。従って、ＤＡ変換回路１１でアナログ電圧に変換された補正された共通電極電圧Ｖcom’は、スイッチＳＷ４を経由して共通電極２ｃに供給され、携帯電話１は、液晶パネル２に画像を表示する通常モードに移行する。
【００６７】
本実施形態では、補正量ΔＶcomを算出するために必要な５つの情報Ｖd、ΔＶg、ΔＶcom１、ΔＶcom２及びΔＶcom３のうち、ΔＶgは予め演算装置１０に記憶されている。また、他の４つの情報Ｖd、ΔＶcom１、ΔＶcom２及びΔＶcom３のうち、Ｖdは、電源回路５からのオン電圧Ｖon及びオフ電圧Ｖoffに基づいて算出され、残りの３つの情報ΔＶcom１、ΔＶcom２及びΔＶcom３は、ゲートドライバ３からの電圧Ｖ４（Ｖ５）をゲートバスＧに供給するとともにソースドライバ４からの電圧ゼロをソースバスＳに供給したときの共通電極２ｃの電圧Ｖ６に基づいて算出される。従って、補正量ΔＶcomを算出するために、パネルからの光を受光する受光素子と調整つまみを調整する調整機構とを備えた設備は不要であり、高価な設備コストをかけずに補正を行うことができる。
【００６８】
また、本実施形態では、上記のようにして算出した補正量ΔＶcomで補正前の共通電極電圧Ｖcomを補正することによって、補正された共通電極電圧Ｖcom’を算出している。従って、共通電極電圧Ｖcomを補正するための可変抵抗器や、この可変抵抗器の抵抗値を変えるための調整つまみは不要であり、部品コストの削減が図られる。
【００６９】
また、本実施形態では、補正量ΔＶcomで共通電極電圧Ｖcomを補正することによって、補正された共通電極電圧Ｖcom’を算出しているため、補正量ΔＶcomが決まれば補正された共通電極電圧Ｖcom’も一義的に決定される。従来では、可変抵抗器を調整している時に、調整つまみから手を離した直後に調整位置が微妙にずれることによって共通電極の電圧レベルが最適レベルからずれる恐れがあるが、本実施形態では、調整つまみが不要であり、補正量ΔＶcomが決まれば補正後の共通電極電圧Ｖcom’も一義的に決定されるため、補正された共通電極電圧Ｖcom’がばらつくことが防止できる。
【００７０】
また、本実施形態では、補正量ΔＶcomの式（８）を導出するために、ｎ本のゲートバスＧの全てに電圧Ｖon＋Ｖ３を供給する全オン状態、ｎ本のゲートバスＧの全てに電圧Ｖoff＋Ｖ３を供給する全オフ状態、及びｎ本のゲートバスＧのうちの半数のゲートバスＧに電圧Ｖon＋Ｖ３を供給し且つ残りの半数のゲートバスＧに電圧Ｖoff＋Ｖ３を供給するオンオフ混在状態の組合せを考えている。しかしながら、本発明では、この組合せに限られず、電圧Ｖon＋Ｖ３が供給されるゲートバスの本数ｍと電圧Ｖoff＋Ｖ３が供給されるゲートバスの本数ｎ−ｍとの比（ｍ：ｎ−ｍ）が互いに異なる電圧供給状態を少なくとも３種類考えれば、補正量ΔＶcomの算出式を、式（８）とは別の式で表すことができる。例えば、比（ｍ：ｎ−ｍ）が、１：１、１：２、１：３及び１：４である４種類の電圧供給状態を考え、これら４種類の電圧供給状態それぞれにおいて、共通電極２ｃの電圧の変動量をそれぞれΔＶcom１’、ΔＶcom２’、ΔＶcom３’及びΔＶcom４’とすると、補正量ΔＶcomは、これら４つの変動量ΔＶcom１’、ΔＶcom２’、ΔＶcom３’及びΔＶcom４’の関数として表すことができる。従って、補正量ΔＶcomとして、４つの変動量ΔＶcom１’、ΔＶcom２’、ΔＶcom３’及びΔＶcom４’の関数で表されるΔＶcomを使用する場合、比（ｍ：ｎ−ｍ）が１：１、１：２、１：３及び１：４である４種類の電圧供給状態それぞれが実現されるようにゲートドライバ３を制御することによって、上記のΔＶcom１’、ΔＶcom２’、ΔＶcom３’及びΔＶcom４’を算出することができ、補正量ΔＶcomを算出できる。
【００７１】
尚、本実施形態では、ΔＶcom１算出モードＢ、ΔＶcom２算出モードＣ及びΔＶcom３算出モードＤの順序でこれらの算出モードＢ、Ｃ及びＤが実行されている。しかしながら、これらの算出モードＢ、Ｃ及びＤの実行順序は、どのような順序であってもよい。
【００７２】
また、上記のＶd算出モードＡは、ΔＶcom１算出モードＢ、ΔＶcom２算出モードＣ及びΔＶcom３算出モードＤが実行される前に行われているが、上記のＶd算出モードＡは、ΔＶcom１算出モードＢ、ΔＶcom２算出モードＣ及びΔＶcom３算出モードＤが実行された後に行ってもよく、又はΔＶcom１算出モードＢとΔＶcom２算出モードＣとの間若しくはΔＶcom２算出モードＣとΔＶcom３算出モードＤとの間に実行されてもよい。更に、上記のＶd算出モードＡは、ΔＶcom１算出モードＢ、ΔＶcom２算出モードＣ又はΔＶcom３算出モードＤと同時に実行することも可能である。
【００７３】
図８は、本発明の第２実施形態の画像表示装置の一例である携帯電話２０の概略ブロック図である。この図の説明にあたっては、図１に示す構成要素と同一の構成要素には同一の符号を付して示し、図１との主な相違点について説明する。
【００７４】
図８と図１との主な相違点は、図８の補正電圧生成回路７０の構成が図１の補正電圧生成回路７の構成とは異なる点と、図１では携帯電話１の電源をオンする毎に共通電極電圧Ｖcomの補正を行っているが、図８では定期的に（例えば、月に一度）共通電極電圧Ｖcomの補正を行っている点である。以下、図８に示す携帯電話２０の動作について、図１の携帯電話１との相違点を明確にしながら説明する。
【００７５】
補正電圧生成回路７０は、ＡＤ変換回路９、演算装置１０及びＤＡ変換回路１１に加えて、スイッチＳＷ５と記憶装置１３とを有している。このような補正電圧生成回路７０を備えた携帯電話２０は、その携帯電話２０が待ちの状態にあるときを狙って共通電極電圧を補正する補正モードを定期的に（例えば、月に一度）実行する。補正モードを開始する場合、制御回路６０は、ＡＤ変換回路９がオン電圧Ｖon及びオフ電圧Ｖoffを表すデジタル信号を演算装置１０に出力するようにＡＤ変換回路９を制御するための信号Ｓｉｇ７をＡＤ変換回路９に供給する。この信号Ｓｉｇ７が供給されると、ＡＤ変換回路９からオン電圧Ｖon及びオフ電圧Ｖoffを表すデジタル信号が演算装置１０に出力され、演算装置１０は図７を参照しながら説明した手順でＶdを算出し、このＶdを記憶する。続いて、演算装置１０は、図７を参照しながら説明した手順でΔＶcom１、ΔＶcom２及びΔＶcom３を算出し、これら算出された値Ｖd、ΔＶcom１、ΔＶcom２及びΔＶcom３を式（８）に代入して補正量ΔＶcomを算出し、この補正量ΔＶcomで補正された共通電極電圧Ｖcom’を算出する。また、演算装置１０は、補正後の共通電極電圧Ｖcom’を算出した旨を表す信号Ｓｉｇ６を制御回路６０に供給する。制御回路６０は、信号Ｓｉｇ６を受け取ると、スイッチＳＷ５を閉じる。これにより、演算装置１０から補正された共通電極電圧Ｖcom’がスイッチＳＷ５を経由して記憶装置１３に記憶される。補正された共通電極電圧Ｖcom’が記憶装置１３に記憶された後、制御回路６０は、スイッチＳＷ４を端子１２側に閉じるとともに、スイッチＳＷ２、ＳＷ３及びＳＷ５が開くように、スイッチＳＷ２、ＳＷ３、ＳＷ４及びＳＷ５を制御し、補正モードが終了する。補正モードの終了後、制御回路６０は、記憶装置１３から、補正された共通電極電圧Ｖcom’を読み出す。読み出された補正された共通電極電圧Ｖcom’はＤＡ変換回路１１でアナログ電圧に変換され、スイッチＳＷ４を経由して共通電極２ｃに供給され、携帯電話２０は通常モードに移行する。
【００７６】
図８に示すように、補正された共通電極電圧Ｖcom’を記憶装置１３から読み出して共通電極２ｃに供給してもよい。図８に示す携帯電話２０も、図１に示す携帯電話１と同様に、補正量ΔＶcomを算出するために、パネルからの光を受光する受光素子と調整つまみを調整する調整機構とを備えた設備は不要であり、高価な設備コストをかけずに補正を行うことができる。
【００７７】
また、図８に示す携帯電話２０も、図１に示す携帯電話１と同様に、共通電極電圧Ｖcomを補正するための可変抵抗器や、この可変抵抗器の抵抗値を変えるための調整つまみは不要であり、部品コストの削減が図られる。また、調整つまみが不要であるため、補正された共通電極電圧Ｖcom’が最適レベルからずれることが防止できる。更に、全オン状態、全オフ状態及びオンオフ混在状態の組合せに限られず、少なくとも３種類以上の電圧供給状態の組合せを考えれば、やはり補正量ΔＶcomを算出することができる。
【００７８】
また、図８では、演算装置１０から出力される補正された共通電極電圧Ｖcom’を表す信号は、記憶装置１３にのみ供給されるが、記憶装置１３だけでなくＤＡ変換回路１１にも供給される構成にしてもよい。これによって、補正電圧生成回路を、図１に示す補正電圧生成回路７と図８に示す補正電圧生成回路７０との双方の機能を備えた構成にすることができ、より最適な補正モードを実行することが可能となる。
【００７９】
図９は、本発明の第３実施形態の画像表示装置の一例である携帯電話３０と、この携帯電話３０とは別に設けられた補正電圧算出装置４０との概略ブロック図である。この図の説明にあたっては、図１に示す構成要素と同一の構成要素には同一の符号を付して示し、図１との主な相違点について説明する。
【００８０】
図９と図１との主な相違点は、図１では、携帯電話１自体がＡＤ変換回路９及び演算装置１０を備えているのに対し、図９では、携帯電話３０はＡＤ変換回路９及び演算装置１０を備えていない点と、図１では、携帯電話１の電源をオンする毎に共通電極電圧Ｖcomを補正していたが、図９では、携帯電話３０を製品として出荷する前に共通電極電圧Ｖcomを補正する点である。
【００８１】
図９では、携帯電話３０を製品として出荷する前に共通電極電圧Ｖcomを補正する。この補正を行うため、携帯電話３０の他に、補正された共通電極電圧Ｖcom’を算出する補正電圧算出装置４０を用意する。この補正電圧算出装置４０は、ＡＤ変換回路９と演算装置１０とを備えている。共通電極電圧Ｖcomを補正する場合、携帯電話３０を製品として出荷する前に、携帯電話３０を補正電圧算出装置４０に接続する。この接続によって、携帯電話３０の電源回路５と補正電圧算出装置４０のＡＤ変換回路９とが検出端子１４及び１５を介して接続されるとともに、携帯電話３０に設けられた検出端子８０が補正電圧算出装置４０のＡＤ変換回路９に接続され、更に、携帯電話３０の記憶装置１３と補正電圧算出装置４０の演算装置１０とが接続される。
【００８２】
このように携帯電話３０を補正電圧算出装置４０に接続した後、電源回路５からのオン電圧Ｖon及びオフ電圧Ｖoffが検出端子１４及び１５によって検出され、検出されたオン電圧Ｖon及びオフ電圧Ｖoffは、補正電圧算出装置４０のＡＤ変換回路９によりデジタル信号に変換され演算装置１０に供給される。演算装置１０は供給されたデジタル信号からＶdを算出し、このＶdを記憶する。続いて、共通電極２ｃからの電圧Ｖ６が、検出端子８０により検出されて補正電圧算出装置４０に供給される。補正電圧算出装置４０に供給された電圧Ｖ６は、ＡＤ変換回路９でデジタル信号に変換され演算装置１０に供給される。演算装置１０は、図７を参照しながら説明した手順で、ΔＶcom１、ΔＶcom２及びΔＶcom３を順次に算出する。演算装置１０は、これら算出された値Ｖd、ΔＶcom１、ΔＶcom２及びΔＶcom３を式（８）に代入して補正量ΔＶcomを算出し、この補正量ΔＶcomで補正された共通電極電圧Ｖcom’を算出する。演算装置１０は補正された共通電極電圧Ｖcom’を算出すると、この補正された共通電極電圧Ｖcom’を携帯電話３０の記憶装置１３に出力する。このようにして、携帯電話３０の記憶装置１３に補正された共通電極電圧Ｖcom’が記憶される。補正された共通電極電圧Ｖcom’を記憶装置１３に記憶させたら、補正電圧算出装置４０を携帯電話３０から取り外す。以上のようにして、携帯電話３０の記憶装置１３に、補正された共通電極電圧Ｖcom’を記憶させた後に、携帯電話３０が出荷される。
【００８３】
この補正された共通電極電圧Ｖcom’を記憶している携帯電話３０では、ユーザが携帯電話３０の電源をオンするとスイッチＳＷ１が閉じる。このスイッチＳＷ１が閉じると、制御回路６０はスイッチＳＷ２及びＳＷ３を開くとともにスイッチＳＷ４が端子１２側に閉じる。更に、制御回路６０は、記憶装置１３から補正された共通電極電圧Ｖcom’を読み出す。この読み出された補正された共通電極電圧Ｖcom’はＤＡ変換回路１１でアナログ電圧に変換され、スイッチＳＷ４を経由して共通電極２ｃに供給され、液晶パネル２に画像が表示される。
【００８４】
この図９に示す携帯電話３０は、ＡＤ変換回路９と演算装置１０が不要であるため、図１に示す携帯電話１よりも小型化を図ることができるという利点がある。
【００８５】
また、図９に示す携帯電話３０も、図１に示す携帯電話１と同様に、共通電極電圧Ｖcomを補正するための可変抵抗器や、この可変抵抗器の抵抗値を変えるための調整つまみは不要であり、部品コストの削減が図られる。また、調整つまみが不要であるため、補正された共通電極電圧Ｖcom’の電圧レベルが最適レベルからずれることが防止できる。更に、全オン状態、全オフ状態及びオンオフ混在状態の組合せに限られず、少なくとも３種類以上の電圧供給状態の組合せを考えれば、やはり補正量ΔＶcomを算出することができる。
【００８６】
尚、図９では、補正された共通電極電圧Ｖcom’を算出するためには、携帯電話３０の他に補正電圧算出装置４０が必要であるが、補正電圧算出装置４０が備えているＡＤ変換回路９及び演算装置１０は、簡単な回路構成で実現できる。従って、液晶パネル２からの光を受光する受光素子と調整つまみを調整する調整機構とを備えた高価な設備は不要であり、従来の方法と比べると、低い設備コストで補正を行うことができる。
【００８７】
上記の第１乃至第３実施形態では、本発明の画像表示装置として携帯電話を取り上げて説明したが、本発明の画像表示装置は、例えばパソコン等の携帯電話以外の画像表示装置にも適用することができる。
【００８８】
以上説明したように、本発明の画像表示装置によれば、部品コスト及び設備コストの削減が図られるとともに、共通電極の電圧レベルを最適なレベルに容易に調整できる。
【図面の簡単な説明】
【００８９】
【図１】本発明の第１実施形態の画像表示装置の一例である携帯電話１の概略ブロック図である。
【図２】液晶パネル２内の全ての画素を１つの画素に置き換えたときの等価回路を示す。
【図３】ｎ本のゲートバスＧのうちのｍ（０＜ｍ＜ｎ）本のゲートバスＧに、ＴＦＴをオン状態に設定するためのオン電圧Ｖonを供給するとともに、残りのｎ−ｍ本のゲートバスＧに、ＴＦＴをオフ状態に設定するためのオフ電圧Ｖoffを供給する場合の等価回路を示す。
【図４】ｎ本のゲートバスＧ全てにオン電圧Ｖonを供給する場合の等価回路を示す。
【図５】ｎ本のゲートバスＧ全てにオフ電圧Ｖoffを供給する場合の等価回路を示す。
【図６】図１に示すゲートドライバ３の概略構成図である。
【図７】補正された共通電極電圧Ｖcom’を求めるときの携帯電話１のタイミングチャートである。
【図８】本発明の第２実施形態の画像表示装置の一例である携帯電話２０の概略ブロック図である。
【図９】本発明の第３実施形態の画像表示装置の一例である携帯電話３０と、この携帯電話３０とは別に設けられた補正電圧算出装置４０との概略ブロック図である。
【符号の説明】
【００９０】
１、２０、３０  携帯電話
２  液晶パネル
３  ゲートドライバ
４  ソースドライバ
５  液晶駆動用電源回路
６  制御回路
７  補正電圧生成回路
８、１２、１４、１５  端子
９  ＡＤ変換回路
１０  演算装置
１１  ＤＡ変換回路
１３  記憶装置
【図１】
2005538401.tif 000013
【図２】
2005538401.tif 000014
【図３】
2005538401.tif 000015
【図４】
2005538401.tif 000016
【図５】
2005538401.tif 000017
【図６】
2005538401.tif 000018
【図７】
2005538401.tif 000019
【図８】
2005538401.tif 000020
【図９】
2005538401.tif 000021
【国際調査報告】
2005538401.tif 000022
2005538401.tif 000023
2005538401.tif 000024